(57)【要約】      （修正有）【課題】差札体の表面及び差札体の後方部位を視認することができ、差札体を立体感をもって視認することができ、装飾効果や宣伝効果等の表示機能を高めることができ、この付加価値により差別化や識別化を高めることができ、差札体の商品価値を向上することができる食品用差札を提供する。【解決手段】ケーキや菓子等の食品に差し込んで使用され、表面に所定の表示パターンＰに対応して文字や図形等の表示部Ｆが形成されてなる差札体１の表面に通穴部２が形成されると共に差札体の表面に殺菌ランプにより殺菌処理が施された殺菌処理部４が設けられてなる。【選択図】図４
0003224660.tif 000002
【実用新案登録請求の範囲】
【請求項１】
ケーキや菓子等の食品に差し込んで使用され、表面に所定の表示パターンに対応して文字、図形、模様若しくは色彩又はこれらの結合からなる表示部が形成されてなる差札体の表面に通穴部が形成されると共に該差札体の表面に除菌ランプにより除菌処理が施された除菌処理部が設けられてなることを特徴とする食品用差札。
【請求項２】
上記表示パターンは、文字、図形、模様若しくは色彩又はこれらの結合からなることを特徴とする請求項１記載の食品用差札。
【請求項３】
上記通穴部はレーザー切断加工により形成されてなることを特徴とする請求項１又は２記載の食品用差札。
【考案の詳細な説明】
【技術分野】
【０００１】
本考案は例えばケーキや菓子類に直接差して用いられる食品用差札に関するものである。
【背景技術】
【０００２】
従来、この種の食品用差札として、ケーキや菓子等の食品に差し込んで使用され、表面に表示パターンに対応して文字や図形等が印刷されてなる差札体の表面に除菌ランプにより除菌処理が施された除菌処理部が設けられた構造のものが知られている。
【０００３】
しかして、この食品用差札をケーキや菓子等の食品に直接差し込み、差札体の表面の表示パターンにより食品の装飾的価値や宣伝的価値を高め、食品の他社製品との差別化を高めたりするようにしている。
【先行技術文献】
【特許文献】
【０００４】
【特許文献１】実用新案登録第３１２８７１２号公報
【考案の概要】
【考案が解決しようとする課題】
【０００５】
しかしながらこれらの従来の食品用差札にあっては、ケーキや菓子等の食品に差し込んで使用したとき、差札体は不透明であるため、差札体の後方部位を視認することができず、それ故、平面的な表示態様となり、装飾効果や宣伝効果の表示機能に乏しいことがあるという不都合を有している。
【課題を解決するための手段】
【０００６】
本考案はこれらの不都合を解決することを目的とするもので、本考案のうちで、請求項１記載の考案は、ケーキや菓子等の食品に差し込んで使用され、表面に所定の表示パターンに対応して文字、図形、模様若しくは色彩又はこれらの結合からなる表示部が形成されてなる差札体の表面に通穴部が形成されると共に該差札体の表面に除菌ランプにより除菌処理が施された除菌処理部が設けられてなることを特徴とする食品用差札にある。
【０００７】
又、請求項２記載の考案は、上記表示パターンは、文字、図形、模様若しくは色彩又はこれらの結合からなることを特徴とするものであり、又、請求項３記載の考案は、上記通穴部はレーザー切断加工により形成されてなることを特徴とするものである。
【考案の効果】
【０００８】
本考案は上述の如く、請求項１記載の考案にあっては、表面に所定の表示パターンに対応して文字、図形、模様若しくは色彩又はこれらの結合からなる表示部が形成されてなる差札体の表面に通穴部が形成されているから、上記所定の表示パターンに対応して設けられた通穴部の存在により差札体の後方部位を視認することができ、差札体の表面及び差札体の後方部位を視認することができ、差札体を立体感をもって視認することができ、装飾効果や宣伝効果等の表示機能を高めることができ、この付加価値により差別化や識別化を高めることができ、差札体の商品価値を向上することができ、さらに、差札体の表面に除菌ランプにより除菌処理が施された除菌処理部が設けられているから、差札体をケーキや菓子等の食品に差し込んで使用しても除菌処理がされていることにより、衛生的な状態で使用することができ、使用の安全性を高めることができ、差札体の商品価値を一層向上することができる。
【０００９】
又、請求項２記載の考案にあっては、上記表示パターンは、文字、図形、模様若しくは色彩又はこれらの結合からなるので、差札体の装飾効果や宣伝効果等の表示機能を高めることができ、付加価値により差別化や識別化を高めることができ、差札体の商品価値を向上することができ、又、請求項３記載の考案にあっては、上記通穴部はレーザー切断加工により形成されてなるから、様々な所定の表示パターンに対応する様々な大きさ及び形状の通穴部を容易に製作することができ、差札体の装飾効果や宣伝効果等の表示機能を一層高めることができる。
【図面の簡単な説明】
【００１０】
【図１】本考案の実施の第一形態例の正面図である。
【図２】本考案の実施の第一形態例の使用状態図である。
【図３】本考案の実施の第一形態例の説明断面図である。
【図４】本考案の実施の第二形態例の正面図である。
【図５】本考案の実施の第三形態例の正面図である。
【考案を実施するための形態】
【００１１】
図１乃至図５は本考案の実施の形態例を示し、図１乃至図３は第一形態例、図４は第二形態例、図５は第三形態例である。
【００１２】
図１乃至図３の第一形態例において、１は差札体であって、紙材や紙材の表面に合成樹脂を被覆した材料、あるいは、合成樹脂材製の厚さ約０．２ｍｍ〜０．５ｍｍ程度のシート材が用いられ、この場合、図１の如く、表面に表示パターンＰ、この場合、心やバレンタインデー、恋愛感情、好感等を表現する表示パターンＰに対応する表示部Ｆが採用され、表示パターンＰに対応して輪郭形状がハート型に形成され、表面に「ふたつのハート」の文字及びハート図形の表示部Ｆが印刷により形成され、差札体１の表面に複数個の小孔Ｈ・・群からなるハート状の通穴部２が形成されている。
【００１３】
この場合、上記通穴部２はレーザー切断加工により形成されている。すなわち、例えば、レーザー発信器からのレーザービームを集光レンズで集光し、集光されたレーザービームを差札体１の表面に照射して切断加工するように構成されている。
【００１４】
さらに、この場合、図１の如く、上記差札体１の表面に除菌ランプ３により除菌処理が施された除菌処理部４が設けられている。
【００１５】
この場合、例えば、図３に示す除菌処理装置Ｄにより除菌処理が行われ、すなわち、上記除菌ランプ３からの照射光Ｒ・・が透過可能な処理筒体Ｔにより除菌処理室Ｓが形成され、この場合、処理筒体Ｔは照射光Ｒ・・が透過可能な石英ガラスにより製作され、又、上記除菌ランプ３は、紫外線としての照射光Ｒ・・を照射する直管型蛍光ランプが使用され、処理筒体Ｔの除菌処理室Ｓ内に複数個の差札体１・・を収納すると共に除菌処理室Ｓ内に空気攪拌機構５により圧縮空気Ｅを噴射し、圧縮空気Ｅの噴射により攪拌されている差札体１に除菌ランプ３からの照射光Ｒ・・としての紫外線を照射して除菌処理を行い、差札体１の表面の表示部Ｆ及び通穴部２の小孔Ｈ・・群の内周面Ｈ１に除菌処理部４を形成するようにしている。
【００１６】
この実施の第一形態例は上記構成であるから、図２の如く、差札体１はケーキや菓子等の食品Ｗに差し込んで使用されることになり、この際、図１の如く、表面に所定の表示パターンＰに対応して文字、図形、模様若しくは色彩又はこれらの結合からなる表示部Ｆが形成されてなる差札体１の表面に通穴部２が形成されているから、上記所定の表示パターンＰに対応して設けられた通穴部２の存在により差札体１の後方部位を視認することができ、差札体１の表面及び差札体１の後方部位を視認することができ、差札体１を立体感をもって視認することができ、装飾効果や宣伝効果等の表示機能を高めることができ、この付加価値により差別化や識別化を高めることができ、差札体１の商品価値を向上することができ、さらに、差札体１の表面に除菌ランプ３により除菌処理が施された除菌処理部４が設けられているから、差札体１をケーキや菓子等の食品Ｗに差し込んで使用しても除菌処理がされていることにより、衛生的な状態で使用することができ、使用の安全性を高めることができ、差札体１の商品価値を一層向上することができる。
【００１７】
又、この場合、上記表示パターンＰは、文字、図形、模様若しくは色彩又はこれらの結合からなるので、差札体１の装飾効果や宣伝効果等の表示機能を高めることができ、付加価値により差別化や識別化を高めることができ、差札体１の商品価値を向上することができ、又、この場合、上記通穴部２はレーザー切断加工により形成されてなるから、様々な所定の表示パターンＰに対応する様々な大きさ及び形状の通穴部２を容易に製作することができ、差札体１の装飾効果や宣伝効果等の表示機能を一層高めることができる。
【００１８】
図４の第二形態例は別例構造を示し、この場合、表面に表示パターンＰ、この場合、ハロウィンを表現する表示パターンＰに対応する表示部Ｆが採用され、表示パターンＰに対応して輪郭形状が楕円型に形成され、表面に「ＨＡＰＰＹ  ＨＡＬＬＯＷＥＥＮ」の文字及びハロウィン図形の表示部Ｆが印刷により形成され、差札体１の表面に複数個の小孔Ｈ・・群からなる通穴部２が形成され、差札体１の表面に除菌ランプ３により除菌処理が施された除菌処理部４が設けられている。
【００１９】
図５の第三形態例は別例構造を示し、この場合、表面に表示パターンＰ、この場合、お誕生日を表現する表示パターンＰに対応する表示部Ｆが採用され、表示パターンＰに対応して輪郭形状が葉っぱ型に形成され、表面に「たんじょうび  おめでとう」の文字の表示部Ｆが印刷により形成され、差札体１の表面に複数個の小孔Ｈ・・群からなる通穴部２が形成され、差札体１の表面に除菌ランプ３により除菌処理が施された除菌処理部４が設けられている。
【００２０】
これら第二形態例、第三形態例にあっても、上記第一形態例と同様な作用効果を得ることができる。
【００２１】
尚、本考案は上記実施の形態例に限られるものではなく、食品Ｗ、表示パターンＰ、表示部Ｆ、差札体１、通穴部２、除菌ランプ３、除菌処理部４の形状、大きさ、材質等は適宜変更して設計されるものである。
【００２２】
以上、所期の目的を充分達成することができる。
【符号の説明】
【００２３】
Ｗ    食品
Ｐ    表示パターン
Ｆ    表示部
１    差札体
２    通穴部
３    除菌ランプ
４    除菌処理部
【図１】
0003224660.tif 000003
【図２】
0003224660.tif 000004
【図３】
0003224660.tif 000005
【図４】
0003224660.tif 000006
【図５】
0003224660.tif 000007